(57)【要約】【課題】  コンクリートを打ち継いで構造体を構築する場合のコンクリート打設前の準備作業を簡単かつ短時間に行うことができる可撓止水継手およびその施工方法を提供すること。【解決手段】  コンクリート構造体１２，１３の継手部１４の一方に固定用溝部１６を型成形しておき、継手２０の挿入固定部２１を挿入して接着固定するようにし、打設前の準備作業を簡単かつ短時間にできるようにする。  この挿入固定部２１には、その内外中間部にスリット部２１ｃを設けるとともに、内外面に設けた板状体としての金属プレート２１ｂを設けることで、固定用溝部１６への挿入を円滑にできるようにし、接着強度を確保できるようにしている。【選択図】  図２
2006233632.tif 000002
【特許請求の範囲】
【請求項１】
コンクリートを打ち継いで構築されるコンクリート構造体の継手部に設けられて内外の止水および当該継手部の相対変位を可能とする可撓止水継手であって、
前記コンクリート構造体の前記継手部の一方に設けられた固定用溝部に挿入固定される挿入固定部と、
前記コンクリート構造体の前記継手部の他方の打設によって埋設固定される打設固定部と、
一端部に前記挿入固定部が連結されるとともに、他端部に前記打設固定部が連結され止水および相対変位を可能とする伸縮部とを備え、
前記挿入固定部は、内外中間部にスリット部を有するとともに、内外面それぞれに前記固定用溝部に接着される板状体が取り付けられ、
前記打設固定部は、固定強度を高める突起部を有してなることを特徴とする可撓止水継手。
【請求項２】
前記挿入固定部の前記スリット部に連通させて接着剤注入路を設けてなることを特徴とする請求項１記載の可撓止水継手。
【請求項３】
前記挿入固定部の前記スリット部に接着剤を挟持させてなることを特徴とする請求項1記載の可撓止水継手。
【請求項４】
前記挿入固定部の基端部に、前記継手部の端面に当接接着される当接接着部を設けてなることを特徴とする請求項１〜３のいずれかに記載の可撓止水継手。
【請求項５】
前記板状体を、前記挿入固定部より突出させて設けたことを特徴とする請求項１〜４のいずれかに記載の可撓止水継手。
【請求項６】
前記伸縮部は、板状伸縮部あるいは前記一端部側へ湾曲した湾曲部を備える板状伸縮部で構成されてなることを特徴とする請求項１〜５のいずれかに記載の可撓止水継手。
【請求項７】
前記伸縮部を、中空状に形成してなることを特徴とする請求項１〜５のいずれかに記載の可撓止水継手。
【請求項８】
前記打設固定部は、前記コンクリート構造体の前記継手部の他方の端面および側面に接着される端面固定部および側面シール部を備える一方、この側面シール部の内側にブチルシートを設けてなることを特徴とする請求項１〜７のいずれかに記載の可撓止水継手。
【請求項９】
コンクリートを打ち継いで構築されるコンクリート構造体の継手部の内外の止水および当該継手部の相対変位を可能とする可撓止水継手を施工するに際し、
前記コンクリート構造体の前記継手部の一方に溝型枠を用いて固定用溝部を形成した後、
この固定用溝部に前記請求項１〜８のいずれかに記載の可撓止水継手の前記挿入固定部を挿入・接着するとともに、前記当接接着部を接着し、
次いで当該可撓止水継手より少なくとも内側の継手部の端面に内側用目地材を部分接着したのち、
前記コンクリート構造体の前記継手部の他方を打設構築して前記打設固定部を埋設固定するようにしたことを特徴とする可撓止水継手の施工方法。
【請求項１０】
前記固定用溝部に前記可撓止水継手の前記挿入固定部を挿入・接着したのち、
当該可撓止水継手の前記伸縮部を当該挿入固定部の外側の前記継手部に部分接着、若しくは当該挿入固定部の外側の前記継手部に接着した外側用目地材に部分接着するとともに、当該挿入固定部の内側に当該継手部の目地間隔より厚い中央用目地材を部分接着して施工するようにしたことを特徴とする請求項９に記載の可撓止水継手の施工方法。
【発明の詳細な説明】
【技術分野】
【０００１】
この発明は、可撓止水継手およびその施工方法に関し、コンクリートを打ち継いで構築される、水路、水処理施設、海洋護岸、トンネル、共同溝などのコンクリート構造体の継手部の止水および相対変位を可能とする可撓止水継手の施工における準備作業を簡素化できるようにしたものである。
【背景技術】
【０００２】
コンクリートを打ち継いで構築されるコンクリート構造体である水路や水槽あるいは共同溝等の地中に構築される暗渠などの壁部分の継手部には、内外を止水するとともにその両側のコンクリート構造体の温度変化等に起因する壁部分の伸縮等を許容する必要があり、止水板などの可撓止水継手が介設されている。
【０００３】
このようなコンクリート構造体の継手部に介設する可撓止水継手としては、例えば特許文献１に開示された止水板１があり、図１０（ａ）に示すように、中空部２の両端に複数本の係止凸条部３を備えて構成され、それぞれの端部の係止凸条部３を打設されるコンクリート内に埋設して固定するようにしている。
【０００４】
また、共同溝などのコンクリート構造体用の可撓止水継手として、例えば特許文献２に開示された可撓ゴム継手６があり、図１１（ａ）に示すように、略逆Ｕ字状の湾曲部７と、湾曲部７の両開口端間を一体的に接続して、湾曲部７を挟んで断面略Ｖ字状に固定される一対のフランジ部８とを備えて構成され、同図（ｂ）に示すように、フランジ部８に取り付けたアンカーボルト９を打設するコンクリート内に埋設して固定するようにしている。
【特許文献１】特開平９−１０５１６６号公報
【特許文献２】特開２００２−１６７７８９号公報
【発明の開示】
【発明が解決しようとする課題】
【０００５】
ところが、このような特許文献１や特許文献２の可撓止水部材１，５では、コンクリートの打設前に、可撓止水部材１，５を所定の位置に保持する必要があり、特許文献１の止水板１の場合には、図１０（ｂ）に示すように、先行のコンクリート側の係止凸状部３を補強用の鉄筋４に吊り下げるようにするとともに、後でコンクリートに埋設される係止凸状部３を板材などの保持材５で保持する必要があり、コンクリート打設前の準備作業が大変であり、手間と時間がかかるという問題がある。
【０００６】
また、特許文献２の可撓ゴム継手６では、図１１（ｂ）に示すように、フランジ部８にアンカーボルト９を取り付けた状態でアンカーボルト９と鉄筋４とを継手１０を介して溶接するとともに、一対のフランジ部８の外側に間隔保持材１１を取り付けて角度を保持できるようにしており、この場合もコンクリート打設前の準備作業が大変であり、手間と時間がかかるという問題がある。
【０００７】
この発明は、かかる従来技術の問題に鑑みてなされたものであって、コンクリートを打ち継いで構造体を構築する場合のコンクリート打設前の準備作業を簡単かつ短時間に行うことができる可撓止水継手およびその施工方法を提供しようとするものである。
【課題を解決するための手段】
【０００８】
上記課題を解決するためこの発明の請求項１記載の可撓止水継手は、コンクリートを打ち継いで構築されるコンクリート構造体の継手部に設けられて内外の止水および当該継手部の相対変位を可能とする可撓止水継手であって、前記コンクリート構造体の前記継手部の一方に設けられた固定用溝部に挿入固定される挿入固定部と、前記コンクリート構造体の前記継手部の他方の打設によって埋設固定される打設固定部と、一端部に前記挿入固定部が連結されるとともに、他端部に前記打設固定部が連結され止水および相対変位を可能とする伸縮部とを備え、前記挿入固定部は、内外中間部にスリット部を有するとともに、内外面それぞれに前記固定用溝部に接着される板状体が取り付けられ、前記打設固定部は、固定強度を高める突起部を有してなることを特徴とするものである。
【０００９】
この可撓止水継手によれば、コンクリート構造体の継手部の一方には、コンクリートの打設によって埋設固定せずに固定用溝部を型成形しておき、継手の一端部の挿入固定部を固定用溝部に挿入して接着固定するようにしており、打設前の準備作業を簡単かつ短時間にできるようにしている。そして、挿入固定部の内外中間部にスリット部を設けるとともに、内外面に設けた金属プレート、硬質樹脂板などの板状体で固定用溝部への挿入を円滑にできるようにし、接着強度を確保できるようにしている。
【００１０】
また、この発明の請求項２記載の可撓止水継手は、請求項１記載の構成に加え、前記挿入固定部の前記スリット部に連通させて接着剤注入路を設けてなることを特徴とするものである。
【００１１】
この可撓止水継手によれば、挿入固定部のスリット部に連通させて設けた接着剤注入路から接着剤を注入して固定用溝部に接着でき、接着剤の充填を容易にできるようにしている。
【００１２】
さらに、この発明の請求項３記載の可撓止水継手は、請求項1記載の構成に加え、前記挿入固定部の前記スリット部に接着剤を挟持させてなることを特徴とするものである。
【００１３】
この可撓止水継手によれば、挿入固定部のスリット部に予め接着剤を挟み込んでおくことで、固定用溝部への挿入によって接着剤を押し出すようにでき、現場での接着作業も一層簡単にできるようになる。
【００１４】
また、この発明の請求項４記載の可撓止水継手は、請求項１〜３のいずれかに記載の構成に加え、前記挿入固定部の基端部に、前記継手部の端面に当接接着される当接接着部を設けてなることを特徴とするものである。
【００１５】
この可撓止水継手によれば、挿入固定部の基端部に設けた当接接着部を継手部の端面に当接接着することで、一層強固に固定できるようにしている。
【００１６】
さらに、この発明の請求項５記載の可撓止水継手は、請求項１〜４のいずれかに記載の構成に加え、前記板状体を、前記挿入固定部より突出させて設けたことを特徴とするものである。
【００１７】
この可撓止水継手によれば、金属プレート、硬質樹脂板などの板状体を挿入固定部より突出させることで、板状体を接着剤の充填空間である固定用溝部内に突き出させて接着強度を向上するようにしている。
【００１８】
また、この発明の請求項６記載の可撓止水継手は、請求項１〜５のいずれかに記載の構成に加え、前記伸縮部は、板状伸縮部あるいは前記一端部側へ湾曲した湾曲部を備える板状伸縮部で構成されてなることを特徴とするものである。
【００１９】
この可撓止水継手によれば、伸縮部は、板状伸縮部あるいは一端部側へ湾曲した湾曲部を備える板状伸縮部で構成してあり、先に打設したコンクリートの端面に（外側用）目地材を介し、あるいは直接板状伸縮部を当てるようにし、止水および相対変位を可能とするようにしている。
【００２０】
さらに、この発明の請求項７記載の可撓止水継手は、請求項１〜５のいずれかに記載の構成に加え、前記伸縮部を、中空状に形成してなることを特徴とするものである。
【００２１】
この可撓止水継手によれば、伸縮部に中空状を形成するようにしており、これまでの止水板と同様の止水性能および相対変位を確保しながらコンクリート打設前の準備作業を簡単かつ短時間にできるようにしている。
【００２２】
また、この発明の請求項８記載の可撓止水継手は、請求項１〜７のいずれかに記載の構成に加え、前記打設固定部は、前記コンクリート構造体の前記継手部の他方の端面および側面に接着される端面固定部および側面シール部を備える一方、この側面シール部の内側にブチルシートを設けてなることを特徴とするものである。
【００２３】
この可撓止水継手によれば、打設固定部を、コンクリート構造体の継手部の他方の端面および側面に接着される端面固定部および側面シール部を備え、この側面シール部の内側にブチルシートを設けて構成してあり、後で打設されるコンクリートの端面に端面固定部を、側面に側面シール部とその内側のブチルシートをそれぞれ一体化させるようにし、打設固定部の埋設固定を強固にし、止水および相対変位を可能とするようにしている。
【００２４】
また、この発明の請求項９記載の可撓止水継手の施工方法は、コンクリートを打ち継いで構築されるコンクリート構造体の継手部の内外の止水および当該継手部の相対変位を可能とする可撓止水継手を施工するに際し、前記コンクリート構造体の前記継手部の一方に溝型枠を用いて固定用溝部を形成した後、この固定用溝部に前記請求項１〜８のいずれかに記載の可撓止水継手の前記挿入固定部を挿入・接着するとともに、前記当接接着部を接着し、次いで当該可撓止水継手より少なくとも内側の継手部の端面に内側用目地材を部分接着したのち、前記コンクリート構造体の前記継手部の他方を打設構築して前記打設固定部を埋設固定するようにしたことを特徴とするものである。
【００２５】
この可撓止水継手の施工方法によれば、可撓止水継手を施工するに際し、先に打設するコンクリート構造体の継手部に溝型枠を用いて固定用溝部を形成しておき、この固定用溝部に可撓止水継手の挿入固定部を挿入・接着するとともに、固定用溝部の外側の継手部の端面の内外に当接接着部を接着することで、一方側の施工ができ、次いで可撓止水継手より少なくとも内側の継手部の端面に内側用目地材を部分接着したのち、後で打設するコンクリート構造体の他方の継手部に打設固定部を埋設固定することで継手部への施工ができ、これまでの打設前の準備作業に比べ大幅に簡素化し、短時間に準備を完了できるようになる。
【００２６】
さらに、この発明の請求項１０記載の可撓止水継手の施工方法は、請求項９に記載の構成に加え、前記固定用溝部に前記可撓止水継手の前記挿入固定部を挿入・接着したのち、当該可撓止水継手の前記伸縮部を当該挿入固定部の外側の前記継手部に部分接着、若しくは当該挿入固定部の外側の前記継手部に接着した外側用目地材に部分接着するとともに、当該挿入固定部の内側に当該継手部の目地間隔より厚い中央用目地材を部分接着して施工するようにしたことを特徴とするものである。
【００２７】
この可撓止水継手の施工方法によれば、固定用溝部に前記可撓止水継手の前記挿入固定部を挿入・接着したのち、当該可撓止水継手の前記伸縮部を当該挿入固定部の外側の前記継手部に部分接着、若しくは当該挿入固定部の外側の前記継手部に接着した外側用目地材に部分接着するとともに、当該挿入固定部の内側に当該継手部の目地間隔より厚い中央用目地材を部分接着して施工するようにしており、外側用目地材および中央用目地材を介在させることで、止水性の向上と相対変位による継手の損傷などを防止するようにしている。
【発明の効果】
【００２８】
この発明の請求項１記載の可撓止水継手によれば、コンクリート構造体の継手部の一方には、コンクリートの打設によって埋設固定せずに固定用溝部を型成形しておき、継手の一端部に形成した挿入固定部を固定用溝部に挿入して接着固定するようにしたので、打設後に固定用溝に挿入すれば良く、打設前の準備作業を大幅に簡素化し、短時間に施工することができる。そして、挿入固定部の内外中間部にスリット部を設けるとともに、内外面に金属プレート、硬質樹脂板などの板状体を設けたので、固定用溝部への挿入を円滑に行うことができるとともに、金属プレートなどの板状体を介在させることで、接着強度を確保することができる。
【００２９】
また、この発明の請求項２記載の可撓止水継手によれば、挿入固定部のスリット部に連通させて接着剤注入路を設けたので、接着剤注入路から接着剤を注入して固定用溝部に接着でき、接着剤の充填を簡単に行うことができる。
【００３０】
さらに、この発明の請求項３記載の可撓止水継手によれば、挿入固定部のスリット部に予め接着剤を挟み込んでおくようにしたので、固定用溝部への挿入によって挟んである接着剤を押し出すようにでき、現場での接着作業も一層簡単に行うことができる。
【００３１】
また、この発明の請求項４記載の可撓止水継手によれば、挿入固定部の基端部に設けた当接接着部を継手部の端面に当接接着するようにしたので、挿入固定部を一層強固に固定することができる。
【００３２】
さらに、この発明の請求項５記載の可撓止水継手によれば、金属プレート、硬質樹脂板などの板状体を挿入固定部より突出させたので、金属プレートなどの板状体を接着剤の充填空間である固定用溝部内に突き出させて接着強度を向上することができる。
【００３３】
また、この発明の請求項６記載の可撓止水継手によれば、伸縮部は、板状伸縮部あるいは一端部側へ湾曲した湾曲部を備える板状伸縮部で構成したので、先に打設したコンクリートの端面に目地材を介し、あるいは直接板状伸縮部を当てることができ、止水および相対変位を可能にすることができる。
【００３４】
さらに、この発明の請求項７記載の可撓止水継手によれば、伸縮部に中空状を形成するようにしたので、これまでの止水板と同様の止水性能および相対変位を可能としながらコンクリート打設前の準備作業を簡単かつ短時間に行うことができる。
【００３５】
また、この発明の請求項８記載の可撓止水継手によれば、打設固定部を、コンクリート構造体の継手部の他方の端面および側面に接着される端面固定部および側面シール部を備え、この側面シール部の内側にブチルシートを設けて構成したので、後で打設されるコンクリートの端面に端面固定部を、側面に側面シール部とその内側のブチルシートをそれぞれ一体化させることができ、打設固定部の埋設固定を強固にできるとともに、止水および相対変位を可能にすることができる。
【００３６】
また、この発明の請求項９記載の可撓止水継手の施工方法によれば、可撓止水継手を施工するに際し、先に打設するコンクリート構造体の継手部に溝型枠を用いて固定用溝部を形成しておき、この固定用溝部に可撓止水継手の挿入固定部を挿入・接着するとともに、固定用溝部の外側の継手部の端面の内外に当接接着部を接着するようにしたので、一方側の施工が簡単かつ短時間にでき、次いで可撓止水継手より少なくとも内側の継手部の端面に内側用目地材を部分接着したのち、後で打設するコンクリート構造体の他方の継手部に打設固定部を埋設固定するようにしたので、他方の継手部への施工が簡単にでき、これまでの打設前の準備作業に比べ大幅に簡素化し、短時間に準備を完了することができる。
【００３７】
さらに、この発明の請求項１０記載の可撓止水継手の施工方法によれば、固定用溝部に前記可撓止水継手の前記挿入固定部を挿入・接着したのち、当該可撓止水継手の前記伸縮部を当該挿入固定部の外側の前記継手部に部分接着、若しくは当該挿入固定部の外側の前記継手部に接着した外側用目地材に部分接着するとともに、当該挿入固定部の内側に当該継手部の目地間隔より厚い中央用目地材を部分接着して施工するようにしたので、外側用目地材および中央用目地材を介在させることで、止水性の向上と変位のための空間とクッション性で相対変位による継手の損傷などを防止することができる。
【発明を実施するための最良の形態】
【００３８】
以下、この発明の実施の形態について、図面に基づき詳細に説明する。  
図１〜図３はこの発明の可撓止水継手の一実施の形態にかかり、図１はこの発明の可撓止水継手が適用されるコンクリート構造体の概略斜視図、図２は可撓止水継手の施工後の取付状態の横断面図、図３はそれぞれ可撓止水継手の部分横断面図である。
【００３９】
この可撓止水継手２０は、コンクリートを打ち継いで構築されるコンクリート構造体１２，１３の継手部１４を止水するとともに、継手部１４の両側のコンクリート構造体１２，１３の相対変位を可能とするものである。
【００４０】
コンクリート構造体の一例である共同溝では、断面形状が矩形で所定長さの函体１２，１３が継手部１４で連結されて構成されており、開削工法によって均しコンクリート１５の上面に現場打ちによって所定長さ毎（函体毎）に継手部１４を介設して打ち継がれて構築され、完成後は所定深さの地中に埋め戻されるものである。
【００４１】
このようなコンクリート構造体１２、１３の継手部１４に設けられる可撓止水継手２０は、先に打設される先行コンクリート構造体１２へは、コンクリートの打設によって埋設固定せずに固定用溝部１６を型成形しておき、先行コンクリート構造体１２の打設後にこの固定用溝部１６を利用して接着剤によって取り付けるようにし、後に打設する後行コンクリート構造体１３へは、これまでと同様に、コンクリートの打設によって埋設固定することで取り付けるようにするものである。
【００４２】
この可撓止水継手２０は、先行コンクリート構造体１２の固定用溝部１６に挿入固定される挿入固定部２１と、後行コンクリート構造体１３の打設によって埋設固定される打設固定部２２と、挿入固定部２１とくびれ部２３を介して一端部が連結されるとともに、他端部に打設固定部２２が連結され止水および相対変位を可能とする伸縮部２４とを備えて構成され、ゴムや合成樹脂などの可撓性素材によって横断面方向には一体的に形成され、長手方向には、分割されたものを継手部１４の形状に合わせて工場や現場で環状などに形成される。
【００４３】
なお、挿入固定部２１と伸縮部２４とを直接連結し、くびれ部２３を省略することも可能である。
【００４４】
そして、この可撓止水継手２０では、挿入固定部２１は、図３（ａ）に示すように、継手部１４の固定用溝部１６の形状に対応する形状とされ、例えば固定用溝部１６が横断面が前方が狭い台形状とされることから、挿入固定部２１の横断面形状も前方が狭い台形状とされ、基端部に固定用溝部１６の開口部に当接させる当接接着部２１ａが外側に突き出して形成してあり、当設接着部２１ａを固定用溝部１６の開口部表面である継手部１４の端面１４ａ（コンクリート構造体１２の端面でもある。）に当てた時に挿入固定部２１の先端が固定用溝部１６の底部とは隙間が形成されるようにしてある。
【００４５】
そして、この挿入固定部２１には、継手部１４の内外面に配置される台形側面の両側に板状体としてステンレス板などの金属プレート２１ｂがそれぞれ可撓性素材と加硫接着などで接着され、先端部が可撓性素材より前方に突き出すとともに、内側に曲げられて先細となるように取り付けてある。
【００４６】
この金属プレート２１ｂは、例えば１ｍｍ厚とされ、これにより、ゴムなどの可撓性素材だけの場合に比べ、固定用溝部１６への挿入時の摩擦を低減して挿入を容易とするとともに、金属プレート２１ｂを介在させることで、可撓性素材とコンクリートを直接接着する場合に比べ、接着強度を向上する。
【００４７】
すなわち、可撓性素材と金属プレート２１ｂは加硫接着などで強固に接着でき、金属プレート２１ｂと固定用溝部１６のコンクリートも接着剤で強固に接着できることで、接着強度を高めることができるとともに、さらに金属プレート２１ｂの先端を可撓性素材から突き出すようにして一層接着強度を高めている。
【００４８】
したがって、板状体としては、金属プレートに限らず、挿入固定部２１の保形と強度およびコンクリートとの接着性を有すれば良く、硬質樹脂板などを用いることもできる。
【００４９】
さらに、この挿入固定部２１には、中間部（継手部１４の内外方向の中間部）に前方が開口したスリット部２１ｃが設けてあり、スリット部２１ｃは先端からの平行部と、その後端の横断面が円形の円形部とを備えた形状としてある。
【００５０】
このスリット部２１ｃにより、挿入固定部２１の弾性変形代を大きくして固定用溝部１６への挿入を容易とするとともに、接着剤を充填することで接着強度の向上を図る。
【００５１】
また、このスリット部２１ｃに連通させて伸縮部２４から貫通する接着剤注入路２５が設けてあり、長手方向に所定間隔、例えば３００〜５００ｍｍピッチで形成しておき、この接着剤注入路２５を利用して、施工の際には、外部から接着剤を注入して挿入固定部２１を継手部１４の固定用溝部１６に接着固定できるようにしてある。
【００５２】
なお、図３（ｂ）に示す挿入固定部２１Ａのように、予め接着剤を挟み込むようにし、固定用溝部１５への挿入によって押し出すようにしても良く、この場合には、挿入固定部２１Ａの形状を、挿入固定部２１でのスリット部２１ｃの平行部を押し広げて三角形状として内外の金属プレート２１ｂが平行となるように形成し、この三角形状のスリット部を接着剤の挟持部２１ｄとすることで、予め接着剤を挟み込んでおくことができる。
【００５３】
この挟持部２１ｄへの接着剤の挟み込みは、施工前に現場で行うなど施工時に挟み込んであれば、どの時点で挟み込んでも良い。
【００５４】
この挿入固定部２１，２１Ａの接着には、例えばエポキシ系樹脂接着剤が用いられる。
【００５５】
次に、後で打設される後行コンクリート構造体１３の打設によって埋設固定される可撓止水継手２０の打設固定部２２は、固定強度を高めるとともに、伸び変形時における引き抜き強度を高める突起部２２ａを有しており、例えばこの可撓止水継手２０では、コンクリート構造体１３の外周部と継手部１４の端面１４ｂ（コンクリート構造体１３の端面でもある。）に当てられる横断面形状がＬ字状に形成された側面シール部２２ｂと端面固定部２２ｃを備え、側面シール部２２ｂの先端部内側に突き出して突起部２２ａが形成してある。
【００５６】
この突起部２２ａには、図２中に拡大して示すように、コンクリート打設時の空気抜きのため、継手部１４の軸方向に貫通する空気抜き孔２２ｅが形成され、例えば直径が５ｍｍ程度の孔を所定ピッチで形成する。
【００５７】
さらに、打設固定部２２には、側面シ−ル部２２ｂの内側にブチルシート２２ｄが設けてあり、側面シール部２２ｂにその粘着力で接着され、コンクリート構造体１３と打設固定部２２との間の止水性を確保するようにしている。
【００５８】
この可撓性止水継手２０では、伸縮部２４の一端部は、打設固定部２２の端面固定部２２ｃを延長するように連続させて厚さが一定の板状伸縮部２４ａが一体に形成され、伸縮部２４の他端部は、板状伸縮部２４ａの端部に直交して前方に突き出すように挿入固定部２１が配置され、内外面が窪んで肉厚の薄いくびれ部２３を介して一体に形成してある。
【００５９】
このくびれ部２３を介して挿入固定部２１と伸縮部２４を設けることで、伸縮部２４の板状伸縮部２４ａが変形した場合に変形抵抗を低減し、変形を容易とするとともに、挿入固定部２１に大きな引き抜き力が加わらないようにする。
【００６０】
このように構成した可撓止水継手２０のコンクリート構造体１２,１３の継手部１４への施工方法について、図４および図５により説明する。
【００６１】
まず、先にコンクリートを打設する先行コンクリート構造体１２を構築するため型枠を均しコンクリート１５上に組み立て、継手部１４の端面１４ａを形成する妻型枠に固定用溝部１６用の溝型枠を設置したのち、先行コンクリートを打設する。
【００６２】
そして、養生後、型枠を脱型し、継手部１４の端面１４ａに固定用溝部１６を形成し、その内部を清掃する（図４（ａ）参照）。
【００６３】
次に、図４（ｂ）に示すように、先行のコンクリート構造体１２の端面である継手部１４の端面１４ａの固定用溝部１６より外側部分にゴムやスポンジなどの外側用目地材２６を接着剤で接着して固定する。この外側用目地材２６により可撓止水継手２０の圧縮変形時の変形抵抗の減少および損傷防止を図るようにする。
【００６４】
こののち、可撓止水継手２０の挿入固定部２１を固定用溝部１６に挿入し、打設固定部２２の端面固定部２２ｃおよびこれに連続する伸縮部２４の板状伸縮部２４ａを外側用目地材２６に長手方向に所々接着する部分接着で所定状態に保持する。
【００６５】
さらに、挿入固定部２１のスリット部２１ｃに連通する接着剤注入路２５から接着剤を注入する。
【００６６】
なお、可撓止水継手２０として挿入固定部２１Ａを備えたものを用いる場合には、挿入固定部２１Ａを固定用溝部１６に挿入し、予め挟持部２１ｄに挟み込んである接着剤を押し出すようにする。
【００６７】
これにより、一方の継手部１４である先行コンクリート構造体１２の固定用溝部１６に可撓止水継手２０の挿入固定部２１，２１Ａを接着固定することができ、従来の先行コンクリートの打設前に鉄筋などに埋設される固定部を吊り下げるようにするなどの準備作業に比べ、固定用溝部１６を型成形するだけで良く、簡単かつ短時間に準備作業を行うことができる。
【００６８】
そして、可撓止水継手２０の内側に伸縮部２４の厚さより厚い中央用目地材２７および目地間隔に応じた薄い内側用目地材２８をそれぞれ継手部１４の端面１４ａに部分接着してその状態を保持できるようにする。この中央用目地材２７を設けることで、可撓止水継手２０が継手部１４の間隔が開いて伸び変形した状態から継手部１４の間隔が狭くなって元に戻る場合に、伸びて長くなった状態の伸縮部２４ａが直接コンクリート表面にぶつかることを防止する変形スペースの確保およびクッション材として機能させる。また、内側用目地材２８は、継手部１４のコンクリートの膨張時のクッション材として用いるものである。
【００６９】
さらに、後行のコンクリート構造体１３の構築に必要な型枠を組み立てた後、後行のコンクリートを打設する。このコンクリートの打設の際、突起部２２ａの内側に空気が溜まることがあっても空気抜き孔２２ｅによって外部に排出することができる。
【００７０】
こののち、型枠を脱型することで継手部１４への可撓止水継手２０の取り付け施工が完了する（図５（ａ）参照）。
【００７１】
なお、継手部１４の底部を除く側面および天面には、防水シート２９を取り付け雨水などの浸入を防止する。この防水シート２９は、コンクリート構造体１２,１３の継手部１４の接続が完了した後、地下構造物とする場合には土砂などで埋め戻されるが、このとき、土砂などが継手部１４に浸入し、可撓止水継手２０に外力が加わるなどの不具合が生じる恐れを防止するために用いるものである。
【００７２】
このような可撓止水継手２０およびその施工方法によれば、例えばコンクリート構造体１２,１３の継手部１４の間隔が開くように相対変位する場合には、図５（ｂ）に示すように、可撓止水継手２０の挿入固定部２１が先行コンクリート構造体１２の固定用溝部１６に接着固定されるとともに、打設固定部２２が後行コンクリート構造体１３に打設によって固定された状態とされて伸縮部２４の板状伸縮部２４ａがくびれ部２３の後方から変形し、相対変位を許容した状態で止水性を保持することができる。
【００７３】
そして、この相対変位の際、可撓止水継手２０のくびれ部２３によって、伸縮部２４の変形の影響が直接挿入固定部２１に及ばず、引き抜き力を低減できるとともに、伸縮部２４の変形代を大きくすることができる。
【００７４】
さらに、このような可撓止水継手２０およびその施工方法によれば、先行コンクリート構造体１２への可撓止水継手２０の取り付けが、先行コンクリートの打設後、固定用溝部１６に挿入して接着固定すれば良く、打設前に鉄筋などに吊り下げるように準備する場合に比べ、準備作業を大幅に減少でき、簡単かつ短時間に施工することができる。
【００７５】
そして、可撓止水継手２０の挿入固定部２１に板状体として金属プレート２１ｂを設けるようにしたので、固定用溝部１６に可撓性素材を直接接着固定する場合に比べ、可撓性素材との接着強度を高めることができるとともに、固定用溝部１６との接着強度を高めることができ、挿入固定部２１を強固に固定して引き抜き強度を高めることができる。
【００７６】
さらに、可撓止水継手２０の打設固定部２２は、先行のコンクリート構造体１２に部分接着するなどで保持することができ、後行のコンクリートの打設前の準備も短時間に行うことができる。
【００７７】
次に、この発明の可撓止水継手の他の一実施の形態について、図６および図７により説明するが、すでに説明した上記実施の型態と同一部分には同一記号を記し、重複する説明は省略する。
【００７８】
この可撓止水継手３０は、図６（ａ）,（ｂ）に示すように、挿入固定部２１および打設固定部２２は、すでに説明した可撓止水継手２０と同一の構成で、伸縮部３１の形状が異なるものである。
【００７９】
この可撓止水継手３０の伸縮部３１は、板状伸縮部３１ａと一端部側であるくびれ部２３側へ突き出すように湾曲した湾曲部３１ｂとを備えて構成され、挿入固定部２１の基端部のくびれ部２３に板状伸縮部３１ａが継手部１４の端面１４ａ，１４ｂと平行に配置されて連続し、この板状伸縮部３１ａにくびれ部２３側へ突き出すように湾曲した湾曲部３１ｂを介して継手部１４の端面１４ａ,１４ｂと平行な打設固定部２２の端面固定部２２ｃが連続しており、挿入固定部２１を固定用溝部１６に挿入固定した状態で、湾曲部３１ｂより外側の板状伸縮部３１ａおよび打設固定部２２の端面固定部２２ｃが先行コンクリート１２の端面である継手部１４の端面１４ａに当接する形状としてある。
【００８０】
なお、他の構成はすでに説明した可撓止水部材２０と同一であり、挿入固定部として、接着剤を予め挟持部２１ｄに挟み込む挿入固定部２１Ａを備えたものであっても良い。
【００８１】
また、施工方法も、図７（ａ）に示すように、外側用目地材を省略する以外、すでに説明した可撓止水継手と同様にして施工することができる。
【００８２】
このような可撓止水継手３０によれば、施工に際して外側用目地材２６を用いることなく、先行コンクリート構造体１２である継手部１４の端面１４ａに直接板状伸縮部３１ａを部分接着して保持するようにすれば良く、施工を一層簡素化して短時間に施工することができる。
【００８３】
また、伸縮部３１に湾曲部３１ｂを設けてあるので、図７（ｂ）に示すように、変形代を大きくすることができ、外側用目地材を用いる場合と同様の相対変位の吸収能力を確保することができる。
【００８４】
次に、この発明の可撓止水継手を止水板に適用した他の一実施の形態について、図８および図９により説明するが、すでに説明した上記２つの実施の形態と同一部分には、同一記号を記し、重複する説明は省略する。
【００８５】
この止水板で構成する可撓止水継手４０、４０Ａでは、コンクリート構造体としての壁中央部に両端部が取り付けられて止水するものであり、接着剤を挟持部２１ｄに挟み込む形式の挿入固定部２１Ａと、後行コンクリートに打設によって固定される打設固定部２２と、中空部４１ａを備える伸縮部４１とが略一直線上に配置されて構成される。
【００８６】
すなわち、この可撓止水継手４０，４０Ａでは、伸縮部４１が一直線上に配置されることから接着剤注入路を形成して後から接着剤を挿入することができないため、予め挿入固定部２１ａの挟持部２１ｄに接着剤を挟み込むようにしている。
【００８７】
そして、可撓止水継手４０では、中空部４１ａが略五角形状とされ、打設固定部２２に２条の突起部２２ａが形成されて構成してあり、可撓止水継手４０Ａでは、中空部４１ａが円形とされ、打設固定部２２に円形の突起部２２ａが外側端部に形成して構成してある。
【００８８】
このような止水板で構成した可撓止水継手４０,４０Ａでも、先行のコンクリート構造体１２に固定用溝部１６を型成形した後、挿入固定部２１Ａを挿入して接着固定するようにして施工する。
【００８９】
そして、継手の端面に外側用目地材２６および内側用目地材２８を取り付けて、これまでと同様に、後行コンクリート構造体１３を打設構築し、打設固定部２２をコンクリート内に埋設して固定することで、施工が完了する。
【００９０】
このような止水板で構成した可撓止水継手４０，４０Ａによれば、挿入固定部２１Ａの固定を、予め先行コンクリート構造体１２に形成した固定用溝部１６に挿入して接着すれば良く、鉄筋を利用して吊り下げる従来の打設前の準備作業に比べ、大幅に工数を減らすことができ、短時間に施工することができる。
【図面の簡単な説明】
【００９１】
【図１】この発明の可撓止水継手の一実施の形態にかかる可撓止水継手が適用されるコンクリート構造体の概略斜視図である。
【図２】この発明の可撓止水継手の一実施の形態にかかる図１のＡ−Ａ断面である可撓止水継手の施工後の取付状態の横断面図である。
【図３】この発明の可撓止水継手の一実施の形態にかかるそれぞれ可撓止水継手の部分横断面図である。
【図４】この発明の可撓止水継手の施工方法の一実施の形態にかかる固定用溝部の横断面図および可撓止水継手の取付工程の横断面図である。
【図５】この発明の可撓止水継手の施工方法の一実施の形態にかかる施工完了後および変形した状態を説明する横断面図である。
【図６】この発明の可撓止水継手の他の一実施の形態にかかるそれぞれ可撓止水継手の部分横断面図である。
【図７】この発明の可撓止水継手の施工方法の他の一実施の形態にかかる施工完了後および変形した状態を説明する横断面図である。
【図８】この発明の可撓止水継手のさらに他の一実施の形態にかかる横断面図および施工完了後の状態を説明する横断面図である。
【図９】この発明の可撓止水継手の他の一実施の形態にかかる横断面図および施工完了後の状態を説明する横断面図である。
【図１０】従来の止水板の横断面図およびその施工方法の説明図である。
【図１１】従来の可撓止水継手の正面図およびその施工方法の説明図である。
【符号の説明】
【００９２】
１２        コンクリート構造体
１３        コンクリート構造体
１４        継手部
１５        均しコンクリート
１６        固定用溝部
２０        可撓止水継手
２１        挿入固定部
２１ａ      当接接着部
２１ｂ      金属プレート（板状体）
２１ｃ      スリット部
２１ｄ      挟持部
２２        打設固定部
２２ａ      突起部
２２ｂ      側面シール部
２２ｃ      端面固定部
２２ｄ      ブチルシート
２２ｅ      空気抜き孔
２３        くびれ部
２４        伸縮部
２４ａ      板状伸縮部
２５        接着剤注入路
２６        外側用目地材
２７        中央用目地材
２８        内側用目地材
２９        防水シート
３０        可撓止水継手
３１        伸縮部
３１ａ      板状伸縮部
３１ｂ      湾曲部
４０        可撓止水継手
４０Ａ      可撓止水継手
４１        伸縮部
４１ａ      中空部
【図１】
2006233632.tif 000003
【図２】
2006233632.tif 000004
【図３】
2006233632.tif 000005
【図４】
2006233632.tif 000006
【図５】
2006233632.tif 000007
【図６】
2006233632.tif 000008
【図７】
2006233632.tif 000009
【図８】
2006233632.tif 000010
【図９】
2006233632.tif 000011
【図１０】
2006233632.tif 000012
【図１１】
2006233632.tif 000013